(57)【要約】【課題】防振部材の破損を抑制することができ、かつ、防振部材の取り付け時の作業性を向上させることが可能な情報記録装置の保持構造を提供する。【解決手段】このＨＤＤ保持構造１０７では、防振部材９０の小径筒状部９２のうちのＨＤＤ７０と当接する突出部分９３は、小径筒状部９２の周方向に複数に分割されており、突出部分９３の複数に分割された各部分には、小径筒状部９２の外周面側から切り込まれ、かつ、小径筒状部９２の周方向に横切る溝９２ａが形成されている。【選択図】図５
2014164775.tif 000002
【特許請求の範囲】
【請求項１】
保持対象の情報記録装置が収納される収納スペースを囲むフレーム部を含み、前記フレーム部に貫通穴が形成された保持部材と、
前記貫通穴に嵌め込み可能な筒状部を含み、前記筒状部の一部が前記収納スペース側に突出するように前記貫通穴に嵌め込まれ、前記筒状部のうちの前記収納スペース側に突出した部分である突出部分が前記情報記録装置と当接する防振部材と、を備え、
前記突出部分は、前記筒状部の周方向に複数に分割されており、
前記突出部分の複数に分割された各部分には、前記筒状部の外周面側から切り込まれ、かつ、前記筒状部の周方向に横切る溝が形成されていることを特徴とする情報記録装置の保持構造。
【請求項２】
前記溝は、前記筒状部の外周面側から溝深さ方向に向かって先細り形状となるように形成されていることを特徴とする請求項１に記載の情報記録装置の保持構造。
【請求項３】
前記フレーム部は、前記収納スペースを挟み込む一対の第１フレーム部、および、前記一対の第１フレーム部のそれぞれの一端を繋ぐ第２フレーム部を含み、前記一対の第１フレーム部のそれぞれの他端が開放された形状とされており、
前記一対の第１フレーム部のそれぞれに前記貫通穴が形成され、
前記第２フレーム部の一部を波形状に屈曲させることで得られる屈曲部が前記第２フレーム部に形成されていることを特徴とする請求項１または２に記載の情報記録装置の保持構造。
【請求項４】
前記突出部分の複数に分割された各部分の外周面には、前記突出部分に外力が加わっていない状態において前記貫通穴の開口の径方向外側に食み出す突起が形成されていることを特徴とする請求項１〜３のいずれかに記載の情報記録装置の保持構造。
【請求項５】
前記突起は、前記溝よりも前記突出部分の前記情報記録装置と当接する先端側に配置されていることを特徴とする請求項４に記載の情報記録装置の保持構造。
【請求項６】
請求項１〜５のいずれかに記載の情報記録装置の保持構造を備えた画像形成装置。
【発明の詳細な説明】
【技術分野】
【０００１】
本発明は、ハードディスクドライブなどの情報記録装置の保持構造およびそれを備えた画像形成装置に関する。
【背景技術】
【０００２】
従来、情報記録装置としてのハードディスクドライブ（ＨＤＤ）を搭載した画像形成装置が知られている。たとえば、ＨＤＤは、画像形成装置への搭載および画像形成装置からの取り外しが容易となるように、画像形成装置に対して着脱可能な保持部材を介して画像形成装置に搭載される。
【０００３】
ところで、ＨＤＤに振動などが加わると、磁気ディスクと磁気ヘッドとが接触し、磁気ディスクや磁気ヘッドが損傷することがある。このため、ＨＤＤを画像形成装置に搭載する場合には、ＨＤＤを保護しつつ保持するための保持構造が必要となる。たとえば、特許文献１には、ＨＤＤが収納されるハウジングに対して、ＨＤＤに加わる振動を緩和するための防振部材を取り付けた構成が開示されている。
【先行技術文献】
【特許文献】
【０００４】
【特許文献１】特開２００４−１９６９５号公報
【発明の概要】
【発明が解決しようとする課題】
【０００５】
特許文献１の構成では、防振部材が円筒形状であり、防振部材の外周面に２つの外周突起が形成されている。防振部材が取り付けられるハウジングには、防振部材の２つの外周突起の間の部分が嵌め込まれる開口が形成されている。そして、防振部材をハウジングに取り付けるときには、防振部材の２つの外周突起のうちの一方の外周突起をハウジングの開口縁に押し付け、その防振部材の一方の外周突起を変形させつつハウジングの開口に押し込む（挿入する）。これにより、防振部材の２つの外周突起の間の部分がハウジングの開口に嵌め込まれる。すなわち、ハウジングの開口縁が防振部材の２つの外周突起の間に挟み込まれる。その結果、防振部材がハウジングに取り付けられる。
【０００６】
しかし、特許文献１の構成では、ハウジングに防振部材を取り付けるとき、防振部材の一部（２つの外周突起のうちの一方の外周突起）を変形させなければならない。したがって、防振部材の取り付け時に防振部材が破損する恐れがある（たとえば、外周突起の付け根に亀裂が入る）。また、防振部材の取り付け作業に時間がかかり、作業性が悪い。
【０００７】
本発明は、上記課題を解決するためになされたものであり、防振部材の破損を抑制することができ、かつ、防振部材の取り付け時の作業性を向上させることが可能な情報記録装置の保持構造およびそれを備えた画像形成装置を提供することを目的とする。
【課題を解決するための手段】
【０００８】
上記目的を達成するために、本発明の情報記録装置の保持構造は、保持対象の情報記録装置が収納される収納スペースを囲むフレーム部を含み、フレーム部に貫通穴が形成された保持部材と、貫通穴に嵌め込み可能な筒状部を含み、筒状部の一部が収納スペース側に突出するように貫通穴に嵌め込まれ、筒状部のうちの収納スペース側に突出した部分である突出部分が情報記録装置と当接する防振部材と、を備えている。そして、突出部分は、筒状部の周方向に複数に分割されている。さらに、突出部分の複数に分割された各部分には、筒状部の外周面側から切り込まれ、かつ、筒状部の周方向に横切る溝が形成されている。
【０００９】
本発明の構成では、収納スペース側に突出した筒状部の一部（突出部分）が筒状部の周方向に複数に分割されている。さらに、突出部分の複数に分割された各部分に、筒状部の外周面側から切り込まれ、かつ、筒状部の周方向に横切る溝が形成されている。これにより、収納スペースに情報記録装置を収納すれば、情報記録装置が筒状部の一部に当接し、筒状部が収納スペース側から押圧された状態になるので、溝を支点として筒状部の一部が放射状に広がるように折れ曲がる（突出部分の複数に分割された各部分が放射状に広がる）。このため、収納スペース側に突出した筒状部の一部を貫通穴の開口縁と係合させることができる。すなわち、防振部材の筒軸方向（貫通穴の貫通方向）への移動を規制することができる。その結果、防振部材は抜け落ちない。
【００１０】
したがって、収納スペース側に突出する筒状部の一部（突出部分）に、貫通穴の開口縁と係合する部分（たとえば、環状の鍔部）を筒状部の径方向に予め突出させておく必要はない。これにより、筒状部を貫通穴に嵌め込むときに、筒状部を大きく変形させなくてもよい（それほど大きな抵抗が生じない）ので、防振部材が破損するのを抑制することができる。また、筒状部を大きく変形させることなく貫通穴に嵌め込むことができるので、防振部材の取り付け時の作業性が向上する。
【発明の効果】
【００１１】
以上のように、本発明によれば、防振部材の破損を抑制することができるとともに、防振部材の取り付け時の作業性を向上させることができる。
【図面の簡単な説明】
【００１２】
【図１】本発明の一実施形態による情報記録装置の保持構造を備えた画像形成装置の概略図
【図２】本発明の一実施形態による情報記録装置の保持構造によって情報記録装置が保持された状態を示した斜視図
【図３】本発明の一実施形態による情報記録装置の保持構造の構成を説明するための斜視図
【図４】図３に示した保持構造を構成する保持部材の斜視図
【図５】図３に示した保持構造を構成する防振部材の斜視図
【図６】図３に示した保持構造を構成する防振部材の斜視図
【図７】図３に示した保持構造を構成する防振部材の形状を説明するための図
【図８】図３に示した保持構造を構成する防振部材の形状を説明するための図（筒軸方向から見た図）
【図９】図３に示した保持構造を構成する防振部材の断面斜視図
【図１０】図３に示した保持構造を構成する防振部材が収納スペース側から押圧されたときの図（防振部材の筒状部の一部が放射状に広がったときの図）
【図１１】図３に示した保持構造を構成する防振部材を取り付けるときの手順を説明するための図
【図１２】図３に示した保持構造によって情報記録装置を保持するときの手順を説明するための図
【図１３】図３に示した保持構造によって情報記録装置が保持されたときの防振部材の状態を説明するための図
【発明を実施するための形態】
【００１３】
以下に、本発明の情報記録装置の保持構造を備えた画像形成装置について、モノクロ複合機を例にとって説明する。
【００１４】
図１に示すように、本実施形態の画像形成装置１００は、操作パネル１０１、画像読取部１０２、給紙部１０３、用紙搬送部１０４、画像形成部１０５および定着部１０６を備える。
【００１５】
操作パネル１０１は、タッチパネル付きの液晶表示パネルを有し、印刷設定の変更を受け付けるためのソフトキーなどを配した画面を表示する。また、操作パネル１０１には、数値入力を受け付けるためのテンキーや、印刷の実行指示を受け付けるためのスタートキーなどのハードキーも設けられている。
【００１６】
画像読取部１０２は、原稿の読み取り（スキャン）を行って画像データを生成する。画像読取部１０２には、図示しないが、露光ランプ、ミラー、レンズおよびイメージセンサーなどの光学系部材が設けられている。そして、画像読取部１０２は、コンタクトガラス２１に載置される原稿に光を照射し、その原稿からの反射光を受けたイメージセンサーの出力値をＡ／Ｄ変換することによって画像データを生成する。これにより、スキャンによって得られた画像データに基づき印刷を行うことができる。また、スキャンによって得られた画像データを蓄積することもできる。なお、画像読取部１０２には、コンタクトガラス２１に載置された原稿を押さえるための原稿押さえ２２が設けられている。
【００１７】
給紙部１０３は、用紙Ｐを収容する用紙カセット３１を有し、その用紙カセット３１内に収容された用紙Ｐを用紙搬送路４０に供給する。給紙部１０３には、用紙カセット３１内に収容された用紙Ｐを１枚ずつ引き出すためのピックアップローラー３２が設けられている。また、給紙部１０３には、用紙カセット３１内から引き出される用紙Ｐの重送を抑制しつつ、用紙Ｐを用紙搬送路４０に供給するための給紙ローラー対３３が設けられている。この給紙ローラー対３３は、互いに対向配置される給紙ローラーおよび分離ローラーを含む。
【００１８】
用紙搬送部１０４は、搬送路４０に供給された用紙Ｐを搬送路４０に沿って搬送し、画像形成部１０５および定着部１０６を経由して排出トレイ４１に導く。この用紙搬送部１０４は、搬送路４０に回転可能に設置された搬送ローラー対４２を複数含む。複数の搬送ローラー対４２のうちの１組はレジストローラー対４３であり、用紙Ｐを画像形成部１０５の手前で待機させ、タイミングを合わせて画像形成部１０５に送り出す。
【００１９】
画像形成部１０５は、画像データに基づきトナー像を形成し、そのトナー像を用紙Ｐに転写する。画像形成部１０５は、感光体ドラム５１、帯電装置５２、露光装置５３、現像装置５４、転写ローラー５５およびクリーニング装置５６を含む。
【００２０】
画像形成時には、感光体ドラム５１が回転駆動し、その感光体ドラム５１の表面を帯電装置５２が所定電位に帯電させる。また、露光装置５３は、露光用の光ビームＬを出力する発光素子（図示せず）を有し、その発光素子を点消灯させつつ感光体ドラム５１の表面を走査露光する。これにより、感光体ドラム５１の表面に静電潜像を形成する。現像装置５４は、感光体ドラム５１の表面に形成された静電潜像にトナーを供給して現像する。
【００２１】
転写ローラー５５は、感光体ドラム５１の表面に圧接して回転可能となっている。そして、レジストローラー対４３がタイミングを計り、転写ローラー５５と感光体ドラム５１との間に用紙Ｐを進入させる。これにより、感光体ドラム５１の表面のトナー像が用紙Ｐに転写される。この後、クリーニング装置５６は、感光体ドラム５１の表面に残留するトナーなどを除去する。
【００２２】
定着部１０６は、用紙Ｐに転写されたトナー像を加熱・加圧して定着させる。この定着部１０６は、発熱源を内蔵する定着ローラー６１と、定着ローラー６１に圧接される加圧ローラー６２とを含む。そして、トナー像が転写された用紙Ｐは、定着ローラー６１と加圧ローラー６２との間を通過することで、加熱・加圧される。これにより、用紙Ｐにトナー像が定着され、印刷が完了する。
【００２３】
また、画像形成装置１００には、図２に示すようなＨＤＤ７０が搭載され、画像データなどの種々のデータがＨＤＤ７０に記憶される。このＨＤＤ７０の搭載箇所は特に限定されず、画像形成装置１００のどの箇所に搭載されていてもよい。なお、ＨＤＤ７０は、本発明の「情報記録装置」に相当する。
【００２４】
ＨＤＤ７０は、磁気ディスクや磁気ヘッドなどを含む。そして、データの読み書きは、磁気ディスクを高速で回転させ、その磁気ディスクに磁気ヘッドを近づけることによって行われる。このようなＨＤＤ７０では、ＨＤＤ７０に外力（衝撃や振動）が加わると、磁気ディスクと磁気ヘッドとが接触し、磁気ディスクや磁気ヘッドが損傷することがある。
【００２５】
したがって、ＨＤＤ７０は、図３に示すようなＨＤＤ保持構造１０７によって保持され、衝撃や振動から保護されている。なお、ＨＤＤ保持構造１０７は、本発明の「情報記録装置の保持構造」に相当する。このＨＤＤ保持構造１０７は、金属板を折り曲げることによって得られる保持部材８０、および、ゴムなどの弾性材からなる防振部材９０を備える。
【００２６】
保持部材８０は、図４に示すように、保持対象のＨＤＤ７０（図２参照）が収納される収納スペースＳを囲むフレーム部８１を含む。フレーム部８１は、収納スペースＳを挟み込む一対の第１フレーム部８２、および、一対の第１フレーム部８２のそれぞれの一端８２ａを繋ぐ第２フレーム部８３からなり、一対の第１フレーム部８２のそれぞれの他端８２ｂが開放された形状とされている。すなわち、フレーム部８１は、実質的にコの字形状となるように折り曲げられており、収納スペースＳを３方向から取り囲んでいる。
【００２７】
一対の第１フレーム部８２には、それぞれ、防振部材９０（図３参照）を取り付けるための取付穴８２ｃが形成されている。この取付穴８２ｃは、円形状の開口を有し、一対の第１フレーム部８２の板厚方向に貫通している。なお、取付穴８２ｃは、本発明の「貫通穴」に相当する。
【００２８】
また、取付穴８２ｃは、一対の第１フレーム部８２のそれぞれに２つずつ（一端８２ａ側および他端８２ｂ側にそれぞれ１つずつ）配置されている。そして、合計４つの取付穴８２ｃの全てに防振部材９０（図３参照）が１つずつ取り付けられている。なお、一対の第１フレーム部８２のそれぞれに形成する取付穴８２ｃの形成数が１つずつであってもよいし、３つ以上ずつであってもよい。
【００２９】
第２フレーム部８３には、防振部材９０（図３参照）を取り付けるための取付穴は形成されていないが、第２フレーム部８３の一部（略中央部）を波形状に屈曲させることによって得られる屈曲部８３ａが形成されている。具体的には、第２フレーム部８３の一部は、収納スペースＳ側とは反対側に向かって突出する部分と収納スペースＳ側に向かって突出する部分とが交互に連続して形成されるように折り曲げられている。これにより、第２フレーム部８３の一部（屈曲部８３ａ）が波形状となっている。このような波形状の屈曲部８３ａを第２フレーム部８３の一部に形成した場合には、第２フレーム部８３の一部がフレーム部８１の他の部分に比べて弾性変形し易い部分となる。すなわち、第２フレーム部８３の一部には、フレーム部８１の他の部分に比べて弾性変形し易い弾性変形部（屈曲部８３ａ）が意図的に形成されている。
【００３０】
これにより、一対の第１フレーム部８２に対して互いに離間する方向に力を加えると、第２フレーム部８３の屈曲部８３ａが変形し、一対の第１フレーム部８２の間隔が広がる。その後、一対の第１フレーム部８２に加えた力を解除すると、第２フレーム部８３の屈曲部８３ａの形状が復元し、一対の第１フレーム部８２の間隔が元に戻る。
【００３１】
防振部材９０は、図５および図６に示すように、実質的に円筒状に形成されており、外径寸法が他の部分よりも大きい部分９１と、外径寸法が部分９１よりも小さい部分９２とを含む。以下の説明では、部分９１を大径筒状部９１と称し、部分９２を小径筒状部９２と称して区別する。なお、小径筒状部９２は、本発明の「筒状部」に相当する。
【００３２】
大径筒状部９１は、取付穴８２ｃ（図４参照）の開口径よりも大きい外径を有する。また、小径筒状部９２は、取付穴８２ｃの開口径と同じ外径、または、取付穴８２ｃの開口径よりも若干小さい外径を有する。すなわち、小径筒状部９２は、取付穴８２ｃに嵌め込み可能となっている。
【００３３】
そして、防振部材９０は、図７に示すように、小径筒状部９２が取付穴８２ｃに嵌め込まれる（挿入される）ことによって、取付穴８２ｃに取り付けられる。このように、小径筒状部９２が取付穴８２ｃに嵌め込まれた状態では、大径筒状部９１が収納スペースＳ側とは反対側に位置している。このため、防振部材９０が収納スペースＳ側に抜け落ちることはない。なお、図７では、図面を見易くするために小径筒状部９２の外径を取付穴８２ｃの開口径よりも小さくしているが、小径筒状部９２の外径と取付穴８２ｃの開口径とが同じであってもよい。
【００３４】
また、小径筒状部９２が取付穴８２ｃに嵌め込まれた状態（防振部材９０が取付穴８２ｃに取り付けられた状態）では、小径筒状部９２の一部が収納スペースＳ側に突出している。以下、小径筒状部９２のうち、収納スペースＳ側に突出した部分を突出部分９３と称し、取付穴８２ｃに嵌め込まれた部分を根元部分９４と称して区別する。
【００３５】
そして、収納スペースＳに収納されるＨＤＤ７０（図２参照）は、突出部分９３が収納スペースＳ側に突出していることで、突出部分９３と当接し、保持部材８０とは当接しない。これにより、ＨＤＤ７０に加わる外力（衝撃や振動など）を防振部材９０で吸収することができる。
【００３６】
ここで、図７および図８に示すように、突出部分９３は、小径筒状部９２の周方向（図８中のＡ方向に相当）に互いに所定の間隔（同じ間隔）を隔てて複数に分割されている。言い換えると、突出部分９３の先端から根元部分９４にまで延びる複数のスリットが小径筒状部９２の周方向に互いに所定の間隔を隔てて形成されていることによって、突出部分９３が複数に分割された状態となっている。たとえば、突出部分９３は、６つに分割されている。ただし、突出部分９３の分割数は特に限定されず、２つ以上に分割されていればよい。なお、図８では、図面を見易くするため、小径筒状部９２の外径を取付穴８２ｃの開口径よりも小さくし、突出部分９３の複数に分割された各部分にハッチングを施している。
【００３７】
また、図７および図９に示すように、突出部分９３の複数に分割された各部分には、小径筒状部９２の外周面側から切り込まれ、かつ、突出部分９３の複数に分割された各部分を小径筒状部９２の周方向に横切る溝９２ａが形成されている。この溝９２ａは、突出部分９３と根元部分９４との略境界に形成されている。また、溝９２ａは、小径筒状部９２の外周面側から溝深さ方向に向かって先細り形状（くさび形状）となるように形成されている。なお、溝９２ａの溝深さは、たとえば、小径筒状部９２の肉厚の１／２よりも小さい。
【００３８】
このように、突出部分９３を複数に分割し、突出部分９３の複数に分割された各部分に溝９２ａを形成すると、突出部分９３がその先端側から根元部分９４側に向かって押圧された場合、図１０に示すように、溝９２ａを支点として、小径筒状部９２の一部が放射状に広がるように折れ曲がる（突出部分９３の複数に分割された各部分が放射状に広がる）。そして、突出部分９３の複数に分割された各部分が取付穴８２ｃの開口縁を跨いで開口の外側に食み出す。したがって、突出部分９３がその先端側から根元部分９４側に向かって押圧された状態（突出部分９３の複数に分割された各部分が放射状に広がった状態）では、防振部材９０の収納スペースＳ側とは反対側への移動が規制され、防振部材９０が収納スペースＳ側とは反対側に抜け落ちることはない。
【００３９】
さらに、図５〜図９に示すように、小径筒状部９２の外周面には、半球状の突起９５が複数形成されている。なお、この突起９５は、突出部分９３の複数に分割された各部分の外周面に１つずつ独立して形成されたものであり、小径筒状部９２の周方向に連続して繋がる環状突起ではない。また、突起９５は、溝９２ａよりも突出部分９３のＨＤＤ７０と当接する先端側に配置されている。
【００４０】
突起９５を筒軸方向から見ると（図８参照）、突起９５は、突出部分９３に外力が加わっていない状態（突出部分９３がその先端側から根元部分９４側に向かって押圧されていない状態）において取付穴８２ｃの開口の径方向外側に食み出している。したがって、突出部分９３に外力（突出部分９３をその先端側から根元部分９４側に向かって押圧する力）が加わっていないことで突出部分９３の複数に分割された各部分が放射状に広がっていなかったとしても、突起９５によって、防振部材９０の収納スペースＳ側とは反対側への移動が規制される（取付穴８２ｃの開口縁と突起９５とが係合する）。このため、防振部材９０が収納スペースＳ側とは反対側に抜け落ちることはない。
【００４１】
このような防振部材９０を保持部材８０に取り付ける場合には、図１１に示すように、収納スペースＳ側とは反対側から、取付穴８２ｃに小径筒状部９２を挿入する。このとき、突起９５が取付穴８２ｃの開口縁に当接する。しかし、突起９５が取付穴８２ｃの開口内側に向かって押圧されるので、突出部分９３が取付穴８２ｃの開口内側に倒れる（弾性変形する）。このため、そのまま取付穴８２ｃへの小径筒状部９２の挿入を続けることにより、突出部分９３を収納スペースＳ側に挿入することができる。ここで、取付穴８２ｃへの小径筒状部９２の挿入時には、突出部分９３の複数に分割された各部分は放射状に広がっていない。したがって、取付穴８２ｃに小径筒状部９２を挿入するために防振部材９０に加える力をそれほど大きくすることなく、かつ、小径筒状部９２を大きく変形させることなく、小径筒状部９２を取付穴８２ｃに挿入することができる。その後、小径筒状部９２を根元部分９４まで取付穴８２ｃに挿入し、根元部分９４を取付穴８２ｃに嵌め込む。これにより、図３に示した状態となる。
【００４２】
また、防振部材９０が取り付けられた保持部材８０にＨＤＤ７０を収納する場合には、図１２に示すように、第２フレーム部８３の屈曲部８３ａを弾性変形させることで、一対の第１フレーム部８２の間隔を広げる。そして、ＨＤＤ７０を収納スペースＳに収納し、一対の第１フレーム部８２の間隔を元に戻す（屈曲部８３ａの形状を復元する）。これにより、図２に示した状態となる。そして、このときには、防振部材９０が収納スペースＳ側から押圧されることになる。すなわち、突出部分９３がその先端側から根元部分９４側に向かって押圧される。したがって、図１３に示すように、突出部分９３の複数に分割された各部分が放射状に広がる。
【００４３】
この後、図示しないネジを防振部材９０に挿入し、ＨＤＤ７０をネジ止めする。これにより、収納スペースＳにおいて、ＨＤＤ７０が移動しないように固定される。
【００４４】
本実施形態のＨＤＤ保持構造１０７（情報記録装置の保持構造）は、上記のように、保持対象のＨＤＤ７０（情報記録装置）が収納される収納スペースＳを囲むフレーム部８１を含み、フレーム部８１に取付穴８２（貫通穴）が形成された保持部材８０と、取付穴８２ｃに嵌め込み可能な小径筒状部９２（筒状部）を含み、小径筒状部９２の一部が収納スペースＳ側に突出するように取付穴８２ｃに嵌め込まれ、小径筒状部９２のうちの収納スペースＳ側に突出した部分である突出部分９３がＨＤＤ７０と当接する防振部材９０と、を備えている。そして、突出部分９３は、小径筒状部９２の周方向に複数に分割されている。さらに、突出部分９３の複数に分割された各部分に、小径筒状部９２の外周面側から切り込まれ、かつ、突出部分９３の複数に分割された各部分を小径筒状部９２の周方向に横切る溝９２ａが形成されている。
【００４５】
本実施形態の構成では、収納スペースＳ側に突出した小径筒状部９２の一部（突出部分９３）が小径筒状部９２の周方向に複数に分割されている。さらに、突出部分９３の複数に分割された各部分に、小径筒状部９２の外周面側から切り込まれ、かつ、突出部分９３の複数に分割された各部分を小径筒状部９２の周方向に横切る溝９２ａが形成されている。これにより、収納スペースＳにＨＤＤ７０を収納すれば、ＨＤＤ７０が小径筒状部９２の一部に当接し、小径筒状部９２が収納スペースＳ側から押圧された状態になるので、溝９２ａを支点として小径筒状部９２の一部が放射状に広がるように折れ曲がる（突出部分９３の複数に分割された各部分が放射状に広がる）。このため、収納スペースＳ側に突出した小径筒状部９２の一部を取付穴８２ｃの開口縁と係合させることができる。すなわち、防振部材９０の筒軸方向（貫通穴である取付穴８２ｃの貫通方向）への移動を規制することができるので、防振部材９０は抜け落ちない。
【００４６】
したがって、収納スペースＳ側に突出する小径筒状部９２の一部（突出部分９３）に、取付穴８２ｃの開口縁と係合する部分（たとえば、環状の鍔部）を小径筒状部９２の径方向に予め突出させておく必要はない。このため、防振部材９０を大きく変形させることなく（それほど大きな抵抗が生じることなく）、小径筒状部９２を取付穴８２ｃに嵌め込むことができ、防振部材９０を取付穴８２ｃに取り付けることができる。これにより、小径筒状部９２を取付穴８２ｃに嵌め込むときに、小径筒状部９２を大きく変形させなくてもよいので、防振部材９０が破損するのを抑制することができる。また、小径筒状部９２を変形させることなく取付穴８２ｃに嵌め込むことができるので、防振部材９０の取り付け時の作業性が向上する。
【００４７】
また、本実施形態では、上記のように、突出部分９３に形成された溝９２ａの形状は、小径筒状部９２の外周面側から溝深さ方向に向かって先細り形状となっている。このように構成すれば、小径筒状部９２が収納スペースＳ側から押圧されたとき、確実に、小径筒状部９２の一部（突出部分９３の複数に分割された各部分）を放射状に広げることができる。
【００４８】
また、本実施形態では、上記のように、保持部材８０のフレーム部８１は、収納スペースＳを挟み込む一対の第１フレーム部８２、および、一対の第１フレーム部８２のそれぞれの一端８２ａを繋ぐ第２フレーム部８３を含み、一対の第１フレーム部８２のそれぞれの他端８２ｂが開放された形状とされており、一対の第１フレーム部８２のそれぞれに貫通穴８２ｃが形成されている。すなわち、一対の第１フレーム部８２のそれぞれに防振部材９０が取り付けられている。そして、第２フレーム部８３には、第２フレーム部８３の一部（略中央部）を波形状に屈曲させることで得られる屈曲部８３ａが形成されている。このように構成すれば、第２フレーム部８３の屈曲部８３ａがフレーム部８１の他の部分に比べて弾性変形し易い部分となる。これにより、一対の第１フレーム部８２に対して互いに離間する方向に力を加えることにより、第２フレーム部８３の屈曲部８３ａが弾性変形して一対の第１フレーム部８２の間隔が広がるので、収納スペースＳへのＨＤＤ７０の収納が容易となる。そして、収納スペースＳにＨＤＤ７０を収納した後は、一対の第１フレーム部８２に加えた力を解除するだけで、第２フレーム部８３の屈曲部８３ａの形状が復元し、一対の第１フレーム部８２の間隔が元に戻る。これにより、収納スペースＳにＨＤＤ７０を収納するときの作業性が向上する。
【００４９】
さらに、一対の第１フレーム部８２の間隔を広げることができれば、収納スペースＳにＨＤＤ７０を収納するときに、ＨＤＤ７０が防振部材９０に接触して防振部材９０が意図しない形状に変形する、という不都合が発生するのを抑制することができる。すなわち、防振効果が低下するのを抑制することができる。
【００５０】
また、本実施形態では、上記のように、突出部分９３の複数に分割された各部分の外周面に、突出部分９３に外力が加わっていない状態において取付穴８２ｃの開口の径方向外側に食み出す突起９５が形成されている。このように構成すれば、小径筒状部９２の一部が放射状に広がっていない状態（収納スペースＳにＨＤＤ７０が収納されていない状態）であっても、取付穴８２ｃの開口縁に突起９５が係合することにより、防振部材９０の筒軸方向への移動が規制され、防振部材９０が抜け落ちるのを抑制することができる。ここで、突起９５は、突出部分９３の複数に分割された各部分に１つずつ独立して形成されたものであり、小径筒状部９２の周方向に連続して繋がる環状突起ではない。したがって、小径筒状部９２を取付穴８２ｃに挿入するときに、それほど大きな抵抗が生じることなく（小径筒状部９２を大きく変形させることなく）、小径筒状部９２を取付穴８２ｃに挿入することができる。
【００５１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００５２】
７０  ＨＤＤ（情報記録装置）
８０  保持部材
８１  フレーム部
８２  第１フレーム部
８２ｃ  取付穴（貫通穴）
８３  第２フレーム部
８３ａ  屈曲部
９０  防振部材
９２  小径筒状部（筒状部）
９２ａ  溝
９３  突出部分
９５  突起
１００  画像形成装置
１０７  ＨＤＤ保持構造（情報記録装置の保持構造）
Ｓ  収納スペース
【図１】
2014164775.tif 000003
【図２】
2014164775.tif 000004
【図３】
2014164775.tif 000005
【図４】
2014164775.tif 000006
【図５】
2014164775.tif 000007
【図６】
2014164775.tif 000008
【図７】
2014164775.tif 000009
【図８】
2014164775.tif 000010
【図９】
2014164775.tif 000011
【図１０】
2014164775.tif 000012
【図１１】
2014164775.tif 000013
【図１２】
2014164775.tif 000014
【図１３】
2014164775.tif 000015